(57)【要約】【課題】外部入力信号を記録した際に、元のデジタル信号に含まれる日付情報が表示されず、内容がよくわからなかった。【解決手段】デジタル入力信号に付加情報として含まれる日付や時刻情報を抽出し、画像データ混合手段13で画像に日付情報等を表示したり、字幕などの副映像情報として記録したり、記録したストリームのタイトル情報として用いたりすることで、記録ストリームの内容確認を容易にし、ユーザーの利便性を向上させる。【選択図】図１
2006319397.tif 000002
【特許請求の範囲】
【請求項１】
映像信号と少なくとも日付を含む付加情報からなる第１のデータストリームを入力する外部入力手段と、
前記入力された第１のデータストリームから前記付加情報を抽出する付加情報抽出手段と、
前記第１のデータストリームをデコードして映像信号を復元する第１のビデオデコード手段と、
前記第１のデータストリームから抽出した付加情報を元にした画像データを前記復元された映像信号に重畳する画像データ混合手段と、
前記画像データ混合手段で作成された映像信号を第２のデータストリームにエンコードするビデオエンコード手段と、
前記第２のデータストリームを記録媒体へ記録する記録手段と、
前記記録媒体に記録された前記第２のデータストリームを再生する再生手段と、
前記再生された第２のデータストリームをデコードして映像信号を復元する第２のビデオデコード手段と
を具備するデジタル記録再生装置。
【請求項２】
映像信号と少なくとも日付を含む付加情報からなる第１のデータストリームを入力する外部入力手段と、
前記入力された第１のデータストリームから前記付加情報を抽出する付加情報抽出手段と、
前記第１のデータストリームをデコードして映像信号を復元する第１のビデオデコード手段と、
前記第１のデータストリームから抽出した付加情報を元にした画像データを副映像データとし、前記復元された映像信号と共に第２のデータストリームにエンコードするビデオエンコード手段と、
前記第２のデータストリームを記録媒体へ記録する記録手段と、
前記記録媒体に記録された前記第２のデータストリームを再生する再生手段と、
前記再生された第２のデータストリームをデコードして映像信号と副映像データを復元する第２のビデオデコード手段と、
前記デコードされた映像信号に、前記副映像データを重畳する画像データ混合手段と
を具備するデジタル記録再生装置。
【請求項３】
映像信号と少なくとも日付を含む付加情報からなるデータストリーム１を入力する外部入力手段と、
前記入力された第１のデータストリームから前記付加情報を抽出する付加情報抽出手段と、
前記第１のデータストリームをデコードして映像信号を復元する第１のビデオデコード手段と、
前記映像信号を第２のデータストリームにエンコードするビデオエンコード手段と、
前記抽出された付加情報を含むタイトルを作成する手段と、
前記第２のデータストリームと前記タイトルを記録媒体へ記録する記録手段と、
前記記録媒体に記録された前記第２のデータストリームと前記タイトルを再生する再生手段と、
前記再生された第２のデータストリームをデコードして映像信号を復元する第２のビデオデコード手段と、
前記再生されたタイトルを映像信号に重畳する画像データ混合手段と、
前記タイトルを選択して再生する第２のデータストリームを選択する選択手段と
を具備するデジタル記録再生装置。
【請求項４】
付加情報は記録日、記録時刻を少なくとも含むことを特徴とする請求項１から３の何れかに記載のデジタル記録再生装置。
【請求項５】
第１のデータストリームはDV（Digital Video）カメラストリームであり、第２のデータストリームはMPEG2（Motion Pictures Expert Group）またはMPEG4動画像符号化方式でエンコードされたストリームであることを特徴とする請求項１から４の何れかに記載のデジタル記録再生装置。
【請求項６】
第１のデータストリームはIEEE１３９４デジタルインターフェイスから入力されることを特徴とする請求項１から５に記載のデジタル記録再生装置。
【発明の詳細な説明】
【技術分野】
【０００１】
本発明は、デジタル映像信号の記録再生を行う技術に関するものである。
【背景技術】
【０００２】
デジタル化されて伝送される映像や音声といった情報を光ディスク等の記録媒体に記録するデジタル記録再生装置が実用化されている。これら記録媒体に記録されるデジタル映像ビットストリームは、その記録媒体容量を効率的に利用するために、例えばMPEG2（Motion Picture Expert Group）等により、フレーム内データ圧縮やフレーム間データ圧縮等により圧縮されて記録されることが一般的である。
【０００３】
これらのデジタル記録再生装置においては、アナログやデジタル放送により伝送される番組を記録して再生するといった使い方や、市販の記録媒体ディスクを再生するという使い方の他にも、外部記録再生機器と接続し、映像や音声といった情報をダビングして記録し、再生するといった使い方も多く想定される。特に外部記録再生機器としてDV（Digital Video）カメラといった民生用デジタル動画記録機器の映像を入力してダビングし、HDDやDVDディスクに記録することが考えられ、そのためのデジタルインターフェイスとして例えばIEEE1394規格に準拠したデジタル入出力端子がDV端子として実用化されている。
【０００４】
以上のような機能をもった記録再生装置が考案されている。
【０００５】
従来の記録再生装置について、例えば図１２において説明する。例えば特許文献1参照。
【０００６】
図１２において、１はデジタル入力端子、２は外部入力手段、３はＡ／Ｖデコード手段１、４は映像入力端子、５は音声入力端子、６はＡ／Ｖエンコード手段、７はマイクロコントローラ、８は記録再生手段、９は記録媒体、１０はアンテナ、１１はチューナー、１２はＡ／Ｖデコード手段２、１３は画像データ混合手段、１４は映像出力端子、１５は音声出力端子である。
【０００７】
本記録再生装置では、例えばアンテナ１０で受信した放送波を、チューナー１１で受信し、映像音声を含む信号はＡ／Ｖエンコード手段６において、ＭＰＥＧ２デジタルビットストリームにエンコードされる。記録再生手段８ではデジタルビットストリーム信号を記録信号に変換して、例えばレーザー光を用いて記録媒体９に記録される。チューナー１１がデジタルチューナーであり、ＭＰＥＧ２で放送された放送信号のデジタルビットストリームを直接得られ、記録媒体９にそのままのビットストリームを記録することが可能な場合は、チューナー１１から直接記録再生手段８を経て記録することも可能である。
【０００８】
記録媒体９に記録されたデジタル映像・音声信号は記録再生手段８のレーザーピックアップにより再生され、再生ビットストリームを得る。再生されたビットストリームは、Ａ／Ｖデコード手段２（１２）に入力され、映像、音声ともデコードされる。
【０００９】
デコードされた映像は、画像データ混合手段１３において、必要な場合にはユーザーとの機器操作インターフェイスを画面上に表示させるＧＵＩ（Graphic User Interface）等を付加し、映像出力端子１４から出力され、ＴＶ等に接続されて表示される。音声信号は音声出力端子１５から出力され、ＴＶ等に接続される。
【００１０】
マイクロコントローラ７は、各ブロックと接続され、上記各ブロックにおける動作をそれぞれ制御する役割がある。
【００１１】
上記のような記録はチューナー１１から入力される映像、音声データのみならず、外部入力端子４や５から入力される映像、音声データを記録することも同様に可能である。
【００１２】
また、デジタル入力端子１に外部デジタル機器の例としてDVカメラを接続することで、デジタル信号のまま映像、音声信号を入力することが可能となる。この場合、１はＩＥＥＥ１３９４規格に準拠したデジタルインターフェイスで、一般にDV端子と呼ばれる。外部入力手段２では、上記デジタルインターフェイスの信号の送受信を行う。次にDV信号はＡ／Ｖデコード手段１（３）に入力される。Ａ／Ｖデコード手段１（３）では、ＤＶ方式のデジタル信号をデコードし、入力された映像、音声信号を得る。以下、前述した説明同様Ａ／Ｖエンコード手段６でＭＰＥＧ２デジタルビットストリームに変換されて記録媒体９に記録される。
【００１３】
しかし、例えば図１１に示すように、ＤＶカメラ５６から直接アナログ出力端子５７から映像・音声ケーブル６１を用いてテレビ５０に接続した場合には、ＤＶカメラの機能により、再生映像５１に日付６０といった付加情報を重畳して表示することが可能であるのに、このＤＶカメラからデジタル入力端子１に入力してデジタルダビングを行って記録した場合、記録媒体９から再生する際に、元々の映像がいつ記録された映像か、再生時にわからない等の問題があった。
【特許文献１】特開２００４−２２１８８４号公報（第４９頁、第３図）
【発明の開示】
【発明が解決しようとする課題】
【００１４】
しかしながら従来のデジタル記録再生装置では、デジタル入力端子からダビングした映像について、元の映像がいつ記録されたものか確認できないという課題があった。
【００１５】
したがって、本発明はユーザーに対していつの何が記録されているかを簡単に判別または選択することが可能なデジタル記録再生装置を提供することを目的とする。
【課題を解決するための手段】
【００１６】
本発明は、デジタル入力信号から入力される映像、音声信号以外の付加情報を抽出し、付加情報に含まれる、元の映像を記録した日付や時刻という情報を利用して、記録画像に映像データとして重畳したり、副映像としてストリームにエンコードしたり、記録した映像のタイトルとして使用したりすることを最も主要な特徴とする。また本発明は、上記タイトルをサムネイル画像と共に使用することが望ましい。
【００１７】
具体的には請求項1記載の本発明は、映像信号と少なくとも日付を含む付加情報からなる第１のデータストリームを入力する外部入力手段と、前記入力された第１のデータストリームから前記付加情報を抽出する付加情報抽出手段と、前記第１のデータストリームをデコードして映像信号を復元する第１のビデオデコード手段と、前記第１のデータストリームから抽出した付加情報を元にした画像データを前記復元された映像信号に重畳する画像データ混合手段と、前記画像データ混合手段で作成された映像信号を第２のデータストリームにエンコードするビデオエンコード手段と、前記第２のデータストリームを記録媒体へ記録する記録手段と、前記記録媒体に記録された前記第２のデータストリームを再生する再生手段と、前記再生された第２のデータストリームをデコードして映像信号を復元する第２のビデオデコード手段とを具備するデジタル記録再生装置である。
【００１８】
また請求項２記載の本発明は、映像信号と少なくとも日付を含む付加情報からなる第１のデータストリームを入力する外部入力手段と、前記入力された第１のデータストリームから前記付加情報を抽出する付加情報抽出手段と、前記第１のデータストリームをデコードして映像信号を復元する第１のビデオデコード手段と、前記第１のデータストリームから抽出した付加情報を元にした画像データを副映像データとし、前記復元された映像信号と共に第２のデータストリームにエンコードするビデオエンコード手段と、前記第２のデータストリームを記録媒体へ記録する記録手段と、前記記録媒体に記録された前記第２のデータストリームを再生する再生手段と、前記再生された第２のデータストリームをデコードして映像信号と副映像データを復元する第２のビデオデコード手段と、前記デコードされた映像信号に、前記副映像データを重畳する画像データ混合手段とを具備するデジタル記録再生装置である。
【００１９】
また請求項３記載の本発明は、映像信号と少なくとも日付を含む付加情報からなるデータストリーム１を入力する外部入力手段と、前記入力された第１のデータストリームから前記付加情報を抽出する付加情報抽出手段と、前記第１のデータストリームをデコードして映像信号を復元する第１のビデオデコード手段と、前記映像信号を第２のデータストリームにエンコードするビデオエンコード手段と、前記抽出された付加情報を含むタイトルを作成する手段と、前記第２のデータストリームと前記タイトルを記録媒体へ記録する記録手段と、前記記録媒体に記録された前記第２のデータストリームと前記タイトルを再生する再生手段と、前記再生された第２のデータストリームをデコードして映像信号を復元する第２のビデオデコード手段と、前記再生されたタイトルを映像信号に重畳する画像データ混合手段と、前記タイトルを選択して再生する第２のデータストリームを選択する選択手段とを具備するデジタル記録再生装置である。
【発明の効果】
【００２０】
本発明のデジタル記録再生装置は、デジタル入力信号から入力される、映像、音声、付加情報信号から、付加情報を抽出し、付加情報に含まれる、元の映像を記録した日付や時刻を利用し、記録画像に映像データとして重畳したり、副映像としてストリームにエンコードしたり、記録した映像のタイトルとして使用したりすることで、記録した内容の確認ができ、ユーザーの利便性を大きく高めることが可能なシステムを提供することができるという利点を有する。
【発明を実施するための最良の形態】
【００２１】
デジタル入力信号から入力される、映像、音声、付加情報信号から、付加情報を抽出し、付加情報に含まれる、元の映像を記録した日付や時刻を利用し、記録画像に映像データとして重畳、副映像としてストリームにエンコード、サムネイル画像として使用、記録した映像のタイトルとして使用するといったことで、記録した内容の確認が簡単にできる記録再生装置を提供することが可能となる。以下実施の形態１、２と分けて説明する。
【００２２】
（実施の形態１）
図１は、本発明装置の実施の形態１のブロック図である。本図を用いて本発明の実施の形態１について説明する。１はデジタル入力端子、２は外部入力手段、３はＡ／Ｖデコード手段１、４は映像入力端子、５は音声入力端子、６はＡ／Ｖエンコード手段、７はマイクロコントローラ、８は記録再生手段、９は記録媒体、１０はアンテナ、１１はチューナー、１２はＡ／Ｖデコード手段２、１３は画像データ混合手段、１４は映像出力端子、１５は音声出力端子である。
【００２３】
本記録再生装置では、例えばアンテナ１０で受信した放送波を、チューナー１１で受信し、映像音声を含む信号はＡ／Ｖエンコード手段６において、ＭＰＥＧ２デジタルビットストリームにエンコードされる。記録再生手段８ではデジタルビットストリーム信号を記録信号に変換して、例えばレーザー光を用いて記録媒体９に記録される。チューナー１１がデジタルチューナーであり、ＭＰＥＧ２で放送された放送信号のデジタルビットストリームを直接得られ、記録媒体９にそのままのビットストリームを記録することが可能な場合は、チューナー１１から直接記録再生手段８を経て記録することも可能である。
【００２４】
記録媒体９に記録されたデジタル映像・音声信号は記録再生手段８の例えばレーザーピックアップにより再生され、再生ビットストリームを得る。再生されたビットストリームは、Ａ／Ｖデコード手段２（１２）に入力され、映像、音声ともデコードされる。デコードされた映像は、画像データ混合手段１３において、必要な場合にはユーザーとの機器操作インターフェイスを画面上に表示させるＧＵＩ（Graphic User Interface）等をＯＳＤ（On Screen Display）として付加して、映像出力端子１４から出力され、ＴＶ等に接続されて表示される。音声信号は音声出力端子１５から出力され、ＴＶ等に接続される。
【００２５】
マイクロコントローラ７は、各ブロックと接続され、上記各ブロックにおける動作をそれぞれ制御する役割がある。
【００２６】
上記のようなデジタル記録再生装置において、記録はチューナー１１から入力される映像、音声データのみならず、外部入力端子４や５から入力される映像、音声データを記録することも同様に可能である。
【００２７】
またデジタル入力端子１に外部デジタル機器の例としてDVカメラを接続することで、デジタル信号のまま映像、音声信号を入力することが可能となる。この場合、１はＩＥＥＥ１３９４規格に準拠したDV端子である。外部入力手段２では、上記デジタルインターフェイスの信号の送受信を行う。次にDV信号はＡ／Ｖデコード手段１（３）に入力される。Ａ／Ｖデコード手段１では、ＤＶ方式のデジタル信号をデコードし、入力された映像、音声信号を得る。以下、前述した説明同様Ａ／Ｖエンコード手段６でＭＰＥＧ２デジタルビットストリームに変換されて記録媒体９に記録される。
【００２８】
Ａ／Ｖデコード手段１（３）の構成を図２（ａ）に示す。図２（ａ）において、１６は入力端子、１７はデジタルデータ分離手段、１８はビデオデコード手段、１９はビデオ出力端子、２０はオーディオデコード手段、２１はオーディオ出力端子、２２は付加情報取得手段、２３は付加情報出力端子である。入力端子１６から入力されるＤＶ方式のビットストリームの例を図２（ｂ）に示す。２４が入力されるＤＶ信号で、データ種別毎にパケット化されて伝送される。各パケットの先頭にはヘッダ領域２５がある。ヘッダは３１のＩＤ、３２のSequence No.、３３のデータブロックNo.といったID群から構成され、ビデオやオーディオ、付加情報といったそれぞれのパケットの種別はID３１を見れば判別できるようになっている。また３２や３３の番号は各映像フレームにおけるデータの構成を示す番号である。本図ではDV規格のストリームを必ずしも完全に正確に表しているわけではないが、以上のようなIDや識別番号情報により、例えばヘッダ情報２６、サブコード情報２７、ビデオAUX（付加情報）２８、オーディオデータ２９、ビデオデータ３０といったパケットを識別することができる。
【００２９】
したがって、ID３１をもとにデジタルデータ分離手段１７で、ビデオデータ、オーディオデータ、その他の付加情報が分離される。ビデオ、オーディオデータは、ビデオデコード手段１８、オーディオデコード手段２０でデコードされ、それぞれ出力端子から出力される。付加情報は付加情報取得手段２２で必要なデータが抽出されて、出力端子２３から出力され、マイクロコントローラ７へ伝送される。
【００３０】
図３にサブコード情報、ビデオAUXのそれぞれ各ブロックに含まれる情報例を示す。例えば図３（ａ）に示すように、サブコード情報にはタイムコード情報として、記録を行った経過時間が、時間、分、秒、フレーム番号として含まれている。
【００３１】
また図３（ｂ）に示すように、ビデオＡＵＸには、ソース情報として記録しているビデオデータの基本情報が含まれ、ＮＴＳＣ（National Television Standards Committee）やＰＡＬ（Phase Alternation by Line）といったテレビ信号方式の種別、１秒間のフレームレート、TVから記録したものであればTVチャンネルといった元の映像に関する情報等で構成される。
【００３２】
また、ソース制御情報として、記録しているビデオデータの制御情報が含まれ、コピーガードの有無や記録モード、出力形式といった情報で構成される。
【００３３】
さらに、記録日付情報として、元映像を記録した年、月、日、曜日という情報が含まれ、記録時刻情報としては、元映像を記録した、時、分、秒、フレーム番号といった情報が含まれる。
【００３４】
また、タイムコード情報２としては、元の映像のタイムコード情報と同等のデータが一般規格等別途異なるフォーマットにて含まれる。
【００３５】
さらに字幕情報としては、クローズドキャプションといった映像に付随する字幕情報が含まれる。
【００３６】
以上のようにＡ／Ｖデコード手段１（３）でデコードされたＤＶストリームの映像、音声はＡ／Ｖエンコード手段４に送られてＭＰＥＧ２−ＰＳストリーム等にエンコードされて記録媒体９に通常は記録される。
【００３７】
しかし、必要な場合は、A/Vデコード手段１（３）において、図には示さないが、OSD重畳機能により、デコードされた映像信号に、マイクロコントローラ７からの演算や制御により、図２（ａ）の付加情報取得手段２２で取得した日付情報や時刻情報を、画像として重畳することが可能となる。またはA/Vデコード手段１（３）に、OSD重畳手段が含まれていない場合は、一旦１３の画像データ混合手段１３へデコードされた映像信号が入力され、マイクロコントローラ７からの演算や制御により、付加情報取得手段２２で取得した日付情報や時刻情報を画像に変換し、さらに上記画像データ混合手段１３で日付情報や時刻情報を重畳し、出力される映像を、Ａ／Ｖエンコード手段６に入力することで、ＤＶデコード画像に日付等の付加情報を重畳した映像を、記録媒体９に記録することが可能となる。この時、音声信号はＡ／Ｖデコード手段３から直接Ａ／Ｖエンコード手段６へ入力するとよい。また場合によっては映像信号に画像データ混合手段１３で行う処理に時間的な遅れが生じた場合は、この遅延量をＡ／Ｖエンコード手段６に入力する音声信号にも付加し、映像、音声信号の同期を合わせる措置が必要になる場合もあるが、ここでは図面には示さない。
【００３８】
以下、図４を用いてAVエンコード手段６、またはMPEG2ストリームとして記録媒体に記録する日付、時間情報データの構造について説明する。図4（ａ）にはAVエンコード手段６の構造を示す。３６は映像入力手段、３７は音声入力手段、３８は付加情報入力手段、３９はビデオエンコード手段、４０はオーディオエンコード手段、４１は付加情報エンコード手段、４２は多重化手段、４３はエンコードされたMPEG2ストリームの出力端子である。３９、４０にはＡ／Ｖデコード手段１（３）でデコードされた映像、音声信号、または入力端子４、５や、画像データ混合手段１３から入力される映像信号が入力される。３８には付加情報を入力して記録することが可能である。
【００３９】
それぞれのエンコードストリームは、多重化手段４２においてＭＰＥＧ２−ＰＳ（Program Stream）にエンコードされ、出力端子４３から出力される。
【００４０】
図４（ｂ）にMPEG2-PSストリームの構造を簡単に記す。４４がMPEG2-PSビットストリーム、４５がパックヘッダ、４６がナビパック、４７がオーディオパック、４８がビデオパック、４９が副映像を記録するサブピクチャパックである。付加情報として記録されるナビパック４６にはストリームのナビゲーション情報として、ディスク上の記録アドレス情報やストリームに関する付加情報等がエンコードされる。映像、音声信号はそれぞれビデオパック４８、オーディオパック４７にエンコードされる。
【００４１】
上記MPEG2-PSとしてエンコードされたストリームは、図１の記録再生手段８で記録媒体９に記録される。
【００４２】
また、付加情報を抽出して取得したマイクロコントローラ７で、元映像の記録した日時を用いてタイトルを作成し、記録再生手段８を通じて、記録するストリームの情報として、そのタイトルを記録媒体９に記録する。
【００４３】
また、途中で付加情報の一部または全部が変化した場合、例えば日付が変化した場合、タイトルを新たにつけて、別のストリームとして記録することで、自動的に日付ごとの記録ストリームに分割して記録することも可能である。
【００４４】
上記ストリームは、再生時に記録再生手段８により再生され、A/Vデコード手段２（１２）によりデコードされ、映像、音声信号に復元される。この時、記録再生される映像信号には、記録時に抽出した日付や時刻等の付加情報が重畳されて映像として表示されるため、ユーザーはいつの映像かを非常に簡単に知ることが可能となる。
【００４５】
また、再生時には記録媒体９に記録されたタイトルを記録再生手段８で再生し、マイクロコントローラ７に送る。この再生ストリームに関連付けられたタイトル情報をマイクロコントローラ７において演算し、画像データを作成し、画像データ混合手段１３に転送する。画像データ混合手段１３では再生ストリームのタイトル情報をOSD表示し、何が記録されているかをユーザーに表示する。
【００４６】
このとき、記録時に抽出した元ＤＶ映像、音声ストリームの記録時の日付、時間情報を利用したタイトルを使用することで、ユーザーはいつ記録された映像かを簡単に知ることが可能となる。
【００４７】
ユーザーは表示されたタイトルを選択する。図面に表示はしないが、ユーザーはリモコンや本体ボタンを使用してマイクロコントローラ７にOSD表示されたタイトルを選択し入力する。そしてマイクロコントローラ７は選択されたタイトルのMPEG2-PSストリームを記録媒体９から再生してデコード、表示することで、ユーザーは簡単に記録されたストリームを選択することが可能である。
【００４８】
図５を用いて実際の記録再生装置について説明する。図５において、５２は本発明の記録再生装置であり、５３の映像音声ケーブルでテレビ５０に接続されている。５４はアナログ入力端子、５５はデジタル入力端子、５６は外部DV機器、５７はアナログ入出力端子、５８はデジタル入出力端子、５９はデジタルケーブルであり、これを通じて記録再生装置５２へダビングを行う。本発明の構成により、ダビングされた映像５１には画像重畳装置により日付情報６０が重畳され、ユーザーは中身を容易に判別可能となる。
【００４９】
また、図６に示すように、付加情報の種類としては、７０のように日付と時刻を表示してもよいし、７１のように日付と、カウンターの値を表示してもよい。
【００５０】
また、記録の最初だけに、図７に示すように、日付情報を大きく全面に７２のように表示してもよい。また、図７（ｂ）に示すように、日付情報のみを用いて記録の先頭にタイトルとして映像を記録しておいてもよい。
【００５１】
また、付加情報を用いて作成したタイトルの例を図８に示す。
【００５２】
図８（ａ）は、記録媒体９に記録したストリーム毎に管理されるサムネイル画像（中身を代表する画像）７４をならべて表示し、それぞれにタイトル７５を使用して各記録ストリームのリストを表示する。また図８（ｂ）は、７６にタイトルを並べて表示し、７７に下で選択したタイトルのサムネイル画像を表示したものである。
【００５３】
これらサムネイルに図７（ａ）（ｂ）のような日付情報を大きく前面に表示した画像を選んで使用すると日付情報が見やすい画像となる。
【００５４】
なお、これらサムネイル画像の代わりに、記録されたストリームを再生して、動画で表示してもさらに内容を把握しやすい。
【００５５】
以上のように付加情報の日付を使用することで、ダビングした日ではなく、元ＤＶカメラにより記録した日付で記録ストリームを管理できるため、ユーザーは内容を区別することが大変簡単で便利に行える。
【００５６】
以上の処理手順を図9のフローチャートにて説明する。
【００５７】
図９においてＳＴ９０で外部デジタル入力端子に接続されたDVからのダビングを開始する。ＳＴ９１でDV信号から付加情報取得手段２２により付加情報を抽出し、日付、時刻情報等を取得する。ＳＴ９２ではOSD画像をマイクロコントローラ７で作成し、上記抽出した日付や時刻の付加情報を含む画像データを作成する。ＳＴ９３では作成したOSD画像を、AVデコード手段１でデコードしたDV信号の復元画像に画像データ混合手段１３で重畳する。ＳＴ９４で、OSD重畳された画像信号をMPEG2-PSによりAVエンコード手段６でエンコードし、記録再生手段８により記録媒体９に記録する。さらにＳＴ９５で、付加情報取得手段２２で取得した日付等を、マイクロコントローラ７が記録ストリームのタイトルとして記録媒体に記録する。ＳＴ９６の判定では、図には示さないが、リモコンや本体の終了ボタンが押されると、ＳＴ１００の処理終了へ移行し、ダビング処理を終了する。終了しない場合はダビングを継続し、ＳＴ９７のように付加情報取得手段２２で、日付等の付加情報取得を続ける。さらにＳＴ９８で日付情報に変化があった場合や、記録時刻に不連続点があった場合等の変化点をマイクロコントローラ７で検出し、もし変化点を検出したならば、ＳＴ９９のように、マイクロコントローラ７の制御により、記録タイトルを別のタイトルとして分割したり、再生時に頭出しが容易になるようなインデックス信号を記録媒体に記録したりする。さらに更新した日付等の付加情報により、マイクロコントローラ７でOSD画像を更新して新たに画像データとして画像データ混合手段１３で重畳する。以上の処理を繰り返す。
【００５８】
なお、記録媒体に記録可能な形式であれば、ＭＰＥＧ２−ＴＳ（Transport Stream）にA/Vエンコード手段６においてエンコードされてもよい。
【００５９】
また、映像の動画圧縮方式ではMPEG2に限らず、MPEG4やMPEG4-AVC、VC-1といったその他の動画圧縮方式で記録してもよい。
【００６０】
また、元DV信号の付加情報を、映像として重畳し、かつタイトルとして利用することを説明したが、元DV信号の付加情報を映像として重畳するか、元DV信号の付加情報をタイトルとして利用するかのどちらか一方の利用方法を実現してもよい。
【００６１】
（実施の形態２）
実施の形態２は、実施の形態１とほぼ同一の構成で実現でき、図1を用いて説明する。また、実施の形態１と同一の機能、使用方法をする場合は実施の形態１の説明とし、異なる部分についてのみ説明する。
【００６２】
実施の形態２が実施の形態１と異なるのは、DVストリームから抽出した付加情報のうち日付や時刻情報を、OSDとして実際に映像に重畳して記録してしまうのではなく、AVエンコード手段６において、MPEG2-PSストリームの副映像ストリームとしてストリーム内に別の画像データとして記録し、再生時に映像データに副映像データを重畳して表示する点である。
【００６３】
以下、図４を用いてAVエンコード手段６、またはMPEG2ストリームとして記録媒体に記録する日付、時間情報データの構造について追加説明する。図4（ａ）にはAVエンコード手段６の構造を示す。４１は付加情報エンコード手段である。３８には付加情報として、元のＤＶストリームから抽出し、マイクロコントローラ７へ転送された日付や時間情報が、マイクロコントローラから入力される。このとき、少なくとも日付情報は、マイクロコントローラでの演算により、副映像データとして変換され、付加情報エンコード手段４１に入力される。副映像データは、付加情報エンコード手段４１で、サブピクチャデータである字幕情報にエンコードされる。それぞれのエンコードストリームは、多重化手段４２においてＭＰＥＧ２−ＰＳ（Program Stream）にエンコードされ、４３から出力される。
【００６４】
図４（ｂ）のMPEG2-PSストリーム構造において、４９が副映像を記録するサブピクチャパックであり、上記日付情報を含む付加情報がビデオパックに重ねて表示されるための副映像として伝送される。
【００６５】
上記MPEG2-PSとしてエンコードされたストリームは、図１の記録再生手段８で記録媒体９に記録される。
【００６６】
上記ストリームは、再生時に記録再生手段８により再生され、A/Vデコード手段２（１２）によりデコードされ、映像、音声信号に復元される。
【００６７】
この時、A/Vデコード手段１２ではサブピクチャパックもデコードし、副映像データが復元される。副映像は、画像データ重畳手段１３において再生された映像信号に重畳される。
【００６８】
記録再生される映像信号に、記録時に抽出した日付や時刻等の付加情報が重畳されているため、ユーザーはいつ記録した映像かを非常に簡単に知ることが可能となる。
【００６９】
また、副映像信号はサブピクチャパックストリームとして、ビデオパックストリームとは別にエンコードされて記録媒体９に記録されているために、再生時にユーザーの要求に応じて副映像を重畳して再生するかどうかを自由に選択することができる。ユーザーの選択には図には示さないがリモコンや本体ボタンによりマイクロコントローラ７に副映像信号の重畳をするかしないかというモードを入力する。また、マイクロコントローラ７の制御により、例えばタイトル再生時に最初の5秒間だけ、副映像を重ねて表示するといった表示方法を実現することも容易に可能である。
【００７０】
以上の処理手順を図１０のフローチャートにて説明する。
【００７１】
図１０においてＳＴ１１０で外部デジタル入力端子に接続されたDVからのダビングを開始する。ＳＴ１１１でDV信号から付加情報取得手段２２により付加情報を抽出し、日付、時刻情報等を取得する。ＳＴ１１２では上記抽出した日付や時刻の付加情報を含む副映像データとして、付加情報エンコード手段４１でサブピクチャパックにエンコードする。ＳＴ１１３では、上記サブピクチャパックと、AVデコード手段１でデコードしたDV信号の復元画像、音声と共に、A/Vエンコード手段６でＭＰＥＧ２−ＰＳにエンコードし、記録再生手段８によって記録媒体９に記録する。ＳＴ１１４で、付加情報取得手段２２で取得した日付等を、マイクロコントローラ７が記録ストリームのタイトルとして記録媒体に記録する。ＳＴ１１５の判定では、図には示さないが、リモコンや本体の終了ボタンが押されると、ＳＴ１１９の処理終了へ移行し、ダビング処理を終了する。終了しない場合はダビングを継続し、ＳＴ１１６のように付加情報取得手段２２で、日付等の付加情報取得を続ける。さらにＳＴ１１７で日付情報に変化があった場合や、記録時刻に不連続点があった場合等の変化点をマイクロコントローラ７で検出し、もし変化点を検出したならば、ＳＴ１１８のように、マイクロコントローラ７の制御により、記録タイトルを別のタイトルとして分割したり、再生時に頭出しが容易になるようなインデックス信号を記録媒体に記録したりする。さらに更新した日付等の付加情報により、マイクロコントローラ７でサブピクチャデータを更新して新たにサブピクチャパックを付加情報エンコード手段４１でエンコードする。以上の処理を繰り返す。
【００７２】
なお、記録媒体に記録可能な形式であれば、ＭＰＥＧ２−ＴＳ（Transport Stream）にA/Vエンコード手段６においてエンコードされてもよい。このＭＰＥＧ２−ＴＳの場合、サブピクチャパックは存在しないので、日時を含む付加情報は、付加情報エンコード手段４１で、例えばデジタルテレビジョン放送方式のデータ放送形式や、文字字幕放送形式に沿ったストリームとしてエンコードするか、記録媒体９独自の規格に準拠してエンコードして記録するとよい。
【００７３】
また、映像の動画圧縮方式ではMPEG2に限らず、MPEG4やMPEG4-AVC、VC-1といったその他の動画圧縮方式で記録してもよい。
【００７４】
また、実施の形態２でも、実施の形態１に準じることで、元DV信号の付加情報を、副映像ストリームとして記録して再生時に重畳し、かつタイトルとして利用することを説明したが、元DV信号の付加情報を副映像ストリームとして記録して再生時に重畳するか、元DV信号の付加情報をタイトルとして利用するかのどちらか一方の利用方法を実現してもよい。
【００７５】
また、途中で付加情報の一部または全部が変化した場合、例えば日付が変化した場合、タイトルを新たにつけて、別のストリームとして記録することで、自動的に日付ごとの記録ストリームに分割して記録することも可能である。  
【産業上の利用可能性】
【００７６】
本発明にかかるデジタル記録再生装置は、外部入力端子から入力される映像・音声信号を記録媒体に記録再生する際に、同時に入力される付加情報を、映像やタイトルとして記録、再生することで、ユーザーに対していつの何が記録されているかを簡単に判別または選択することが可能な記録再生装置を提供することができる。
【図面の簡単な説明】
【００７７】
【図１】本発明の実施の形態１または２におけるデジタル記録再生装置の実施例を示した説明図
【図２】（ａ）本発明の実施の形態１または２におけるデジタル記録再生装置のA/Vデコード手段１を示した説明図（ｂ）本発明の実施の形態１または２におけるデジタル記録再生装置のデジタル入力信号を示した説明図
【図３】本発明の実施の形態１または２におけるデジタル記録再生装置のデジタル入力信号に含まれる付加情報を示した図
【図４】（ａ）本発明の実施の形態１または２におけるデジタル記録再生装置のA/Vエンコード手段を示した説明図（ｂ）本発明の実施の形態１または２におけるデジタル記録再生装置のA/Vエンコード手段によりエンコードされるＭＰＥＧ２−ＰＳストリームを示した説明図
【図５】本発明の実施の形態１または２におけるデジタル記録再生装置の使用形態を示した説明図
【図６】本発明の実施の形態１または２におけるデジタル記録再生装置の付加情報を表示した画面を示した説明図
【図７】本発明の実施の形態１または２におけるデジタル記録再生装置の付加情報を表示した画面を示した説明図
【図８】本発明の実施の形態１または２におけるデジタル記録再生装置の記録ストリームのタイトル表示画面を示した説明図
【図９】本発明の実施の形態１におけるデジタル記録再生装置の処理手順を説明したフローチャート
【図１０】本発明の実施の形態２におけるデジタル記録再生装置の処理手順を説明したフローチャート
【図１１】ＤＶカメラをテレビに接続する場合の使用形態を示した説明図
【図１２】従来の記録再生装置を示した説明図
【符号の説明】
【００７８】
１    デジタル入力端子
２    外部入力手段
３    A/Vでコード手段１
４    映像入力端子
５    音声入力端子
６    A/Vエンコード手段
７    マイクロコントローラ
８    記録再生手段
９    記録媒体
１０    アンテナ
１１    チューナー
１２    A/Vデコード手段２
１３    画像データ混合手段
１４    映像出力端子
１５    音声出力端子
１６    入力端子
１７    デジタルデータ分離手段
１８    ビデオデコード手段
１９    ビデオ出力端子
２０    オーディオデコード手段
２１    オーディオ出力端子
２２    付加情報取得手段
２３    付加情報出力端子
２４    ＤＶ信号
２５    ヘッダ領域
２６    ヘッダ情報
２７    サブコード情報
２８    ビデオAUX（付加情報）
２９    オーディオデータ
３０    ビデオデータ
３１    ＩＤ
３２    Sequence No.
３３    データブロックNo.
３６    映像入力手段
３７    音声入力手段
３８    付加情報入力手段
３９    ビデオエンコード手段
４０    オーディオエンコード手段
４１    付加情報エンコード手段
４２    多重化手段
４３    出力端子
４４    MPEG2-PSビットストリーム
４５    パックヘッダ
４６    ナビパック
４７    オーディオパック
４８    ビデオパック
４９    サブピクチャパック
５０    テレビ
５１    映像
５２    記録再生装置
５３    映像音声ケーブル
５４    アナログ入力端子
５５    デジタル入力端子
５６    DV機器
５７    アナログ入出力端子
５８    デジタル入出力端子
５９    デジタルケーブル
６０、７２、７３    日付情報
７０    日付情報と時刻情報
７１    日付情報とタイムカウンタ値
７４、７７    サムネイルまたは動画表示領域
７５、７６、７８    タイトル
【図１】
2006319397.tif 000003
【図２】
2006319397.tif 000004
【図３】
2006319397.tif 000005
【図４】
2006319397.tif 000006
【図５】
2006319397.tif 000007
【図６】
2006319397.tif 000008
【図７】
2006319397.tif 000009
【図８】
2006319397.tif 000010
【図９】
2006319397.tif 000011
【図１０】
2006319397.tif 000012
【図１１】
2006319397.tif 000013
【図１２】
2006319397.tif 000014